(57)【要約】      （修正有）【課題】箱体の上部側に収納した衣類の出し入れを行い易くした衣類収納装置を提供する。【解決手段】衣類収納装置１は、前方に開口した箱体１１を有し、箱体１１は、その内部が、収納物を収納自在な収納空間であり、収納空間が、上部側の第１空間と、下部側の第２空間とに区画され、第１空間に、収納体５を昇降自在で設け、収納体５は、第１空間に収納される収納状態と、収納状態から前下方に移動した取出状態とに切替自在であり、収納体５は、衣類を吊り下げるハンガーバー５４を有し、第１空間に、衣類を吊り下げた状態で収納物の一つとして収納自在である。【選択図】図１
2014226434.tif 000002
【特許請求の範囲】
【請求項１】
前方に開口した箱体を有し、
この箱体は、その内部が、収納物を収納自在な収納空間であり、この収納空間が、上部側の第１空間と、下部側の第２空間とに区画され、
前記第１空間に、収納体を昇降自在で設け、
この収納体は、前記昇降によって、前記第１空間に収納される収納状態と、前記収納状態から前下方に移動した取出状態とに切替自在であり、
前記収納体は、衣類を吊り下げるハンガーバーを有し、
前記衣類を、吊り下げた状態で、前記収納物の一つとして前記第１空間に収納自在であることを特徴とする衣類収納装置。
【請求項２】
前記収納体を昇降自在で支持し左右に対をなす回動アームを、回動自在で設け、
前記左右に対をなす回動アームをその上部で連結する連結部材を、前記回動アームに直接接続して設けることを特徴とする請求項１記載の衣類収納装置。
【請求項３】
前記連結部材が前記収納体の前記ハンガーバーを兼ねることを特徴とする請求項１又は請求項２記載の衣類収納装置。
【請求項４】
前記第２空間に、前記衣類を吊り下げる第２のハンガーバーを設け、
前記衣類を、吊り下げた状態で、前記収納物の一つとして前記第２空間に収納自在であることを特徴とする請求項１乃至請求項３のいずれか一項に記載の衣類収納装置。
【請求項５】
前記箱体は、前記第１空間と前記第２空間とを上下に連通して備えることを特徴とする請求項１乃至請求項３のいずれか一項に記載の衣類収納装置。
【発明の詳細な説明】
【技術分野】
【０００１】
本発明は、衣類収納装置に関するものである。
【背景技術】
【０００２】
従来から、衣類収納装置として、中棚板及び下方にパイプハンガー付き中棚板を設け、クローゼット内を上下三段に仕切ったクローゼットがある（特許文献１等参照）。このパイプハンガー付き中棚板は、棚板の下面にパイプハンガーを付けたものであり、クローゼット内の中央部に配してある。そして、このクローゼットは、このパイプハンガーによって、衣類を吊り下げた状態で収納することができる。
【先行技術文献】
【特許文献】
【０００３】
【特許文献１】特開平１０−１４８０００号公報
【発明の概要】
【発明が解決しようとする課題】
【０００４】
ところで、特許文献１等のクローゼットは、パイプハンガー付き中棚板より下方の空間の上下高さが衣類を吊り下げて収納可能な寸法となっている。このため、パイプハンガー付き中棚板が、使用者の肩位置等に比べて高所（高位置）や肩位置等と並ぶ位置に位置し易くなる。そして、前記クローゼットは、上方の空間（前記二つの中棚板の上方の空間）に衣類を収納する場合、中棚板に衣類を上下に重ねて載置することになり、この衣類の出し入れを行い難いという問題がある。
【０００５】
本発明は、前記事情に鑑みてなされたものであって、衣類を含む収納物を収納空間の上部側に収納可能で、上部側に収納した衣類の出し入れを行い易くした衣類収納装置を提供することを課題とする。
【課題を解決するための手段】
【０００６】
前記課題を解決するために本発明は、前方に開口した箱体を有し、この箱体は、その内部が、収納物を収納自在な収納空間であり、この収納空間が、上部側の第１空間と、下部側の第２空間とに区画され、前記第１空間に、収納体を昇降自在で設け、この収納体は、前記昇降によって、前記第１空間に収納される収納状態と、前記収納状態から前下方に移動した取出状態とに切替自在であり、前記収納体は、衣類を吊り下げるハンガーバーを有し、前記衣類を、吊り下げた状態で、前記収納物の一つとして前記第１空間に収納自在であることを特徴とする。
【０００７】
また、前記収納体を昇降自在で支持し左右に対をなす回動アームを、回動自在で設け、前記左右に対をなす回動アームをその上部で連結する連結部材を、前記回動アームに直接接続して設けることが好ましい。
【０００８】
前記連結部材が前記収納体の前記ハンガーバーを兼ねることが好ましい。
【０００９】
また、前記第２空間に、前記衣類を吊り下げる第２のハンガーバーを設け、前記衣類を、吊り下げた状態で、前記収納物の一つとして前記第２空間に収納自在であることが好ましい。
【００１０】
また、前記箱体は、前記第１空間と前記第２空間とを上下に連通して備えることが好ましい。
【発明の効果】
【００１１】
本発明は、ハンガーバーに吊り下げた状態で収納物（衣類）を、箱体の上部側に収納することができ、また収納位置（収納状態）に比べて低位置で、収納体内の収納物（衣類）の出し入れを行うことができる。これによって、本発明は、箱体の上部側に衣類を吊り下げて収納することができ、また箱体の上部側に収納した衣類等の収納物を容易に出し入れすることができる。
【図面の簡単な説明】
【００１２】
【図１】第一実施形態の衣類収納装置の斜視図である。
【図２】同上の衣類収納装置の構成模式図である。
【図３】第二実施形態の衣類収納装置の構成模式図である。
【図４】第三実施形態の収納体の構成模式図である。
【図５】第四実施形態の衣類収納装置の構成模式図である。
【発明を実施するための形態】
【００１３】
以下、本発明を添付図面に基づいて説明する。
【００１４】
本発明の第一実施形態の衣類収納装置１は、例えば、図１，２に示すように、前方に開口し上下に長尺な矩形箱状の外殻部（箱体１１）を有する。箱体１１は、側壁部１２と、天井部１３と、後壁部１４と、底面部１５とで箱状に形成される。
【００１５】
側壁部１２は、例えば、側面視矩形の板状に形成される。側壁部１２は、左右に所定の間隔を置いて二つ設けてある。天井部１３は、例えば、平面視矩形の板状に形成される。天井部１３は、両側壁部１２，１２の上端間に配置される。そして、天井部１３は、両側壁部１２，１２間の上端を閉塞するよう構成される。
【００１６】
後壁部１４は、例えば、正面視矩形の板状に形成される。後壁部１４は、両側壁部１２，１２の後端間に配置される。そして、後壁部１４は、両側壁部１２，１２間の後端を閉塞するよう構成される。底面部１５は、例えば、平面視矩形の板状に形成される。底面部１５は、両側壁部１２，１２の下端間に配置される。そして、底面部１５は、両側壁部１２，１２間の下端を閉塞するよう構成される。
【００１７】
また、箱体１１は、その内部（側壁部１２と天井部１３と後壁部１４と底面部１５とで囲まれた空間）が、衣類等の収納物を収納する収納空間２となっている。言い換えると、衣類収納装置１は、上下に長尺で前面に開口した収納空間２を有する。収納空間２は、上部側の第１空間２１と、下部側の第２空間２２とに区画される。第１空間２１と第２空間２２との間には、仕切り板１６が設けてある。このため、仕切り板１６が、第１空間２１の底面部となり、底面部１５が、第２空間２２の底面部となっている。
【００１８】
なお、箱体１１は、底面部１５を省略した前方及び下方に開口した箱状であってもよく、この場合、収納空間２は、側壁部１２と天井部１３と後壁部１４とで囲まれた空間となる。また、衣類収納装置１は、箱体１１の前面（前開口１７）を覆う扉やカーテン等の覆い部材を有してもよい。この場合、前記覆い部材は、前開口１７（収納物）を覆う状態と前開口１７（収納物）を開放する状態とに切替自在が好ましい。
【００１９】
第１空間２１には、収納体５と、昇降機構部３とが設けてある。言い換えると、衣類収納装置１は、収納体５と昇降機構部３とを第１空間２１に備える。
【００２０】
衣類収納装置１は、昇降機構部３を用いて、収納体５を第１空間２１から前開口１７を介して前下方に降ろし、またこの降ろした収納体５を第１空間２１に収納するよう後上方に昇らせることができるよう構成される。言い換えると、収納体５は、昇降機構部３を介して、第１空間２１に収納される収納状態と、収納状態から前下方に移動させた取出状態とに切替自在となっている。以下、特に姿勢を規定しない限り、収納体５を収納状態とした場合で説明する。
【００２１】
昇降機構部３は、収納体５を箱体１１に回動自在で支持する二つの回動機構部３１，３１と、両回動機構部３１，３１による回動を連動させる連動部材とを有する。昇降機構部３は、一方の回動機構部３１が右側の側壁部１２の内面に取り付けてあり、残り一方の回動機構部３１が左側の側壁部１２の内面に取り付けてある。言い換えると、回動機構部３１は、各側壁部１２，１２に夫々設けてある。
【００２２】
このため、昇降機構部３は、収納体５を左右から箱体１１に回動自在で支持するよう構成される。そして、収納体５は、昇降機構部３を介した箱体１１に対する回動によって、箱体１１内に収納された収納状態と、箱体１１内から取り出された取出状態とを切り替わるよう構成される。
【００２３】
二つの回動機構部３１，３１は、互いに左右対称の構造になっている。各回動機構部３１，３１は、前後に並ぶ二つの回動アーム３２，３２と、両回動アーム３２，３２を回転自在で支持する基部３６と、前後二つの回動アーム３２，３２を連結する接続部材３７とを有する。
【００２４】
言い換えると、昇降機構部３は、左右に対をなす回動アーム３２，３２を回動自在で前後に二つ（二対）有する。そして、回動アーム３２は、収納体５を昇降自在で支持するよう構成される。
【００２５】
以下の説明では、前後の回動アーム３２，３２を区別する場合、後方側の回動アーム３２を第１アーム３３とし、前方側の回動アーム３２を第２アーム３４とする。
【００２６】
基部３６は、側壁部１２の第１空間２１を形成する部位（第１部位）に固定される。基部３６は、前記第１部位の上下高さの中間に位置する。
【００２７】
第１アーム３３は、上下に長尺で形成される。第１アーム３３は、下端部が基部３６に回動自在で取り付けてある。これによって、第１アーム３３は、基部３６に支持される。
【００２８】
そして、第１アーム３３は、上端部に収納体５が回転自在で取り付けてある。これによって、第１アーム３３は、収納体５を基部３６に支持する。
【００２９】
言い換えると、第１アーム３３は、基部３６に取り付ける取付部（第１取付部４１）を下端部に備え、収納体５を支持する支持部（第１支持部４２）を上端部に備える。そして、第１支持部４２は、第１取付部４１より上方且つ後方に位置する。
【００３０】
第１アーム３３は、長手方向の途中に屈曲部（第１屈曲部４３）を有する。そして、第１アーム３３は、第１屈曲部４３より下方の部位を通りこの部位の長手方向に沿った仮想直線に対して、第１屈曲部４３より上方の部位が前方に傾いた形状となっている。
【００３１】
このため、第１アーム３３は、第１取付部４１より上方且つ後方に第１支持部４２及び第１屈曲部４３が位置した姿勢で、収納体５を第１空間２１に収納する（収納体５が収納状態となる）よう構成される。このため、収納体５が収納状態のとき、第１アーム３３は、第１支持部４２及び第１屈曲部４３を第１取付部４１より上方且つ後方に位置させた姿勢となる。
【００３２】
更に、第１アーム３３は、第１取付部４１より下方且つ前方に第１支持部４２が位置した姿勢で、収納体５を第１空間２１から取り出す（収納体５が取出状態となる）よう構成される。言い換えると、収納体５が取出状態のとき、第１アーム３３は、第１支持部４２を第１取付部４１より下方且つ前方に位置させた姿勢となる。
【００３３】
このように、第１アーム３３は、収納状態において、第１支持部４２が第１空間２１に収納されて位置し、取出状態において、第１支持部４２が前開口１７から前方に突出して位置するよう構成される。
【００３４】
第２アーム３４は、上下に長尺で形成される。第２アーム３４は、下端部が基部３６に回動自在で取り付けてある。これによって、第２アーム３４は、基部３６に支持される。そして、第２アーム３４は、上端部に収納体５が回転自在で取り付けてある。これによって、第２アーム３４は、収納体５を基部３６に支持する。
【００３５】
言い換えると、第２アーム３４は、基部３６に取り付ける取付部（第２取付部４４）を下端部に備え、収納体５を支持する支持部（第２支持部４５）を上端部に備える。
【００３６】
第２アーム３４は、例えば、長手方向の途中に屈曲部（第２屈曲部４６）を有する。第２アーム３４は、第２屈曲部４６より下方の部位（第２取付部４４側の部位）を通りこの部位の長手方向に沿った仮想直線に対して、第２屈曲部４６より上方の部位が後方に傾いた形状となっている。
【００３７】
そして、第２アーム３４は、第２取付部４４より上方且つ後方に第２支持部４５が位置した姿勢で、収納体５を第１空間２１に収納する（収納体５が収納状態となる）よう構成される。言い換えると、収納体５が収納状態のとき、第２アーム３４は、第２支持部４５を第２取付部４４より後方且つ上方に位置させた姿勢となる。
【００３８】
更に、第２アーム３４は、第２取付部４４より下方且つ前方に第２支持部４５が位置した姿勢で、収納体５を第１空間２１から取り出す（収納体５が取出状態となる）よう構成される。言い換えると、収納体５が取出状態のとき、第２アーム３４は、第２支持部４５を第２取付部４４より下方且つ前方に位置させた姿勢となる。
【００３９】
このように、第２アーム３４は、収納状態において、第２支持部４５が第１空間２１に収納されて位置し、取出状態において、第２支持部４５が前開口１７より前方に突出して位置するよう構成される。
【００４０】
第２取付部４４は、第１取付部４１より下方且つ前方の位置で基部３６に取り付けてある。そして、第２支持部４５は、第１支持部４２より下方且つ前方の位置で収納体５に取り付けてある。言い換えると、前後に並ぶ回動アーム３２，３２（第１アーム３３と第２アーム３４と）は、前記取付部が各々異なる位置で基部３６に取り付けてあり、前記支持部が各々異なる位置で収納体５を支持するよう構成される。
【００４１】
更に、回動機構部３１は、第１アーム３３の第１屈曲部４３から第１支持部４２までの長手方向に沿った寸法が、第２アーム３４の第２屈曲部４６から第２支持部４５までの長手方向に沿った寸法に比べて、長尺となっている。
【００４２】
接続部材３７は、前後に長さを有する。接続部材３７は、例えば、左右に平面を有した板状となっている。
【００４３】
接続部材３７は、後部に第１支持部４２が回動自在で取り付けてあり、前部に第２支持部４５が回動自在で取り付けてある。そして、接続部材３７は、第１支持部４２の取付位置が、第２支持部４５の取付位置に比べて、上方に位置するよう構成される。言い換えると、第２支持部４５は、第１支持部４２の取付位置に比べて前側下方で、接続部材３７に取り付けられる。
【００４４】
このように、第１支持部４２と第２支持部４５とは、接続部材３７を介して前後に連結される。このため、第１アーム３３と第２アーム３４とは、連動して回動するよう構成される。言い換えると、各回動機構部３１，３１は、前後に並ぶ二つの回動アーム３２，３２が連動して回動するよう構成される。また、接続部材３７は、収納体５の上端部に固定される。
【００４５】
連結部材３８は、左右に長尺な棒状部３９と、棒状部３９の左右両端に夫々設けた連結片４８，４８とを有する。
【００４６】
棒状部３９は、例えば、側面視円形状の棒状（管状を含む）に形成される。棒状部３９は、例えば、左右に平行な軸心を有した棒状（管状を含む）となっている。
【００４７】
連結片４８は、平面視前方に開口した角形Ｕ字状に形成される。そして、連結片４８は、上下に高さを有する。このため、連結片４８は、例えば、板状部材を折り曲げる等で形成される。
【００４８】
連結片４８は、Ｕ字の左右一方の縦辺に、棒状部３９が固定してあり、残り一方の縦辺に、回動アーム３２が固定してある。
【００４９】
このように、連結部材３８は、両支持部（本例では、例えば、両第１支持部４２，４２）の間に架け渡して設けてある。言い換えると、連結部材３８は、左右各端部が、回動アーム３２，３２（本例では、例えば第１アーム３３，３３）に固定してある。
【００５０】
そして、連結部材３８は、左右に並ぶ回動アーム３２，３２（本例では、例えば第１アーム３３，３３）を左右方向において直接連結するよう構成される。言い換えると、連結部材３８は、接続部材３７や縦辺部５３（詳細は後述する）等から独立して、回動アーム３２に接続してある。
【００５１】
これによって、左右の回動機構部３１，３１は、左右に並ぶ回動アーム３２，３２を連動させて回動することができる。言い換えると、左右に並ぶ回動アーム３２，３２は、連結部材３８を介して同体で回動する。なお、この同体とは、側面視において、左右に並ぶ回動アーム３２，３２が重なる状態（同じ姿勢をとる状態）を意味する。
【００５２】
このように、衣類収納装置１は、連結部材３８及び接続部材３７によって、四つの回動アーム３２，３２，３２，３２を連動して回動させることができる。これによって、衣類収納装置１は、収納状態、取出状態、回動状態（回動時）において、収納体５を水平姿勢（収納状態の姿勢）に保って移動させる（昇降させる）ことができる。
【００５３】
昇降機構部３は、右側（一方）の回動機構部３１が収納体５の上端部右側に取り付けてあり、左側（残り一方）の回動機構部３１が収納体５の上端部左側に取り付けてある。言い換えると、両回動機構部３１，３１は、各支持部が収納体５の上端部の異なる側端（左右端）に取り付けてある。
【００５４】
このため、昇降機構部３は、収納体５を左右から箱体１１に回動自在で支持する。そして、収納体５は、昇降機構部３を介した箱体１１に対する回動によって、収納状態と取出状態とが切り替わるよう構成される。言い換えると、収納体５は、昇降機構部３によって、収納状態と取出状態とを切替自在となっている。更に言い換えると、収納体５は、収納状態と取出状態とが切り替わるよう、箱体１１に対して昇降自在に設けてある。
【００５５】
収納体５は、例えば、収納体５に収納された収納物の加重を受けるフレーム５１（ｆｒａｍｅ）と、状態切替時に使用者に操作される操作部５６と、収納物を収納可能な範囲（収納範囲）を規定する規定部５８とを有する。
【００５６】
フレーム５１は、例えば、正面視下向きに開口した角形Ｕ字状（上下逆様の角形Ｕ字状）に形成される。言い換えると、フレーム５１は、左右に長尺な横辺部５２と、上下に長尺な二つの縦辺部５３，５３とを有する。
【００５７】
横辺部５２は、連結部材３８で形成される。言い換えると、連結部材３８は、フレーム５１の横辺部５２（一部）を兼ねるよう構成される。
【００５８】
横辺部５２（棒状部３９）は、ハンガーバー５４（ｈａｎｇｅｒ  ｂａｒ）として機能する。言い換えると、収納体５は、両縦辺部５３，５３の間にハンガーバー５４（ｈａｎｇｅｒ  ｂａｒ）を有する。
【００５９】
ハンガーバー５４は、所謂洋服掛け等のハンガー（ｈａｎｇｅｒ）等を吊り下げることができる。このため、本実施形態の収納物は、その一つとして、例えば、前記ハンガーやこのハンガーに取り付けた衣服等（例えばズボン、ベルトやネクタイ等を直接ハンガーバー５４に掛ける場合を含む）の衣類が挙げられる。なお、図２には、前記衣類を吊り下げた例として、模式的な衣類８を示す。
【００６０】
このため、収納体５は、衣類をハンガーバー５４に吊り下げた状態で、収納状態と取出状態とに切替自在となっている。言い換えると、衣類収納装置１は、衣類を収納体５に吊り下げて、収納体５を収納状態にすることで、衣類を第１空間２１（箱体１１の上部側）に収納することができる。そして、衣類収納装置１は、収納体５を取出状態にすることで、収納体５を収納状態の位置より下方且つ前方に取り出した状態で、収納体５に対する衣類の出し入れを行うことができる
また、昇降機構部３は、収納状態の回動アーム３２，３２，３２，３２の重心が、平面視において、回動中心と重なるか奥側（後方）かに位置することが好ましい。そして、ハンガーバー５４（横辺部５２）は、平面視（前後）において、収納体５の重心に重なる位置に設けることが好ましい。
【００６１】
ハンガーバー５４（横辺部５２、棒状部３９）は、例えば、平面視において、収納体５の収納範囲の前後長さの中間に位置する。ハンガーバー５４（横辺部５２、棒状部３９）は、平面視において、第１空間２１内の第１取付部４１より後方に位置する。
【００６２】
言い換えると、収納体５は、その重心が、平面視において、第１空間２１内の第１取付部４１より後方の位置（奥側の位置）となっている。そして、収納体５は、前記重心と平面視において重なる位置に、ハンガーバー５４（横辺部５２、棒状部３９）が設けてある。
【００６３】
このため、衣類収納装置１は、後方の回動アーム３２，３２（第１アーム３３，３３）で収納体５の加重を受けたとき、第１アーム３３，３３の重心を第１取付部４１より後方に位置し易くすることができる。
【００６４】
二つの縦辺部５３，５３は、同形状に形成されており、例えば、上下に平行な軸心を有した棒状（管状を含む）となっている。二つの縦辺部５３，５３は、長手方向（軸心）を平行にして左右に並べて設けてある。言い換えると、フレーム５１は、二つの縦辺部５３，５３を左右に間隔を置いて左右対称に有する。
【００６５】
縦辺部５３は、横辺部５２より前方に設けてある。縦辺部５３の上端部は、平面視において、第１支持部４２の取付位置と第２支持部４５の取付位置との間で、接続部材３７に固定してある。
【００６６】
言い換えると、縦辺部５３は、上端部の各側端部（左右の各端部）に夫々、接続部材３７が固定してある。そして、縦辺部５３は、接続部材３７及び回動アーム３２，３２を介して横辺部５２に取付固定してある。このように、本実施形態では、連結部材３８及び接続部材３７がフレーム５１の構成部材の一部を兼ねている。
【００６７】
縦辺部５３の上下高さは、正面視における第２取付部４４から第１支持部４２までの上下高さや第２取付部４４から横辺部５２までの上下高さに比べて、大寸となっている。言い換えると、縦辺部５３は、正面視における第２取付部４４から第１支持部４２までの上下高さや第２取付部４４から横辺部５２までの上下高さに比べて、上下に長尺で形成される。
【００６８】
このため、縦辺部５３は、基部３６より下方に突出した形状となっており、縦辺部５３の下端部が基部３６より下方に位置する。言い換えると、本実施形態の収納体５は、下端部が第２取付部４４より上方に位置する従来の収納体に比べて、上下高さが大寸で形成される。更に言い換えると、収納体５は、基部３６と第１空間２１の下端（第２空間２２との境界位置）との間に縦辺部５３の下端部を位置させた状態で、第１空間２１に収納される。
【００６９】
また、縦辺部５３の下端部には、操作部５６が取り付けてある。言い換えると、操作部５６は、フレーム５１の下端部に設けてある。
【００７０】
操作部５６は、例えば、平面視後方に開口した角形Ｕ字状に形成される。操作部５６は、Ｕ字の各後端部がフレーム５１の下端部に固定される。言い換えると、操作部５６は、左右一方（例えば右側）の後端部が、左右においてこの後端部と同じ側（右側）に設けた縦辺部５３に固定される。そして、操作部５６は、左右の残り一方（例えば左側）の後端部が、左右においてこの後端部と同じ側（左側）に設けた縦辺部５３に固定される。
【００７１】
また、操作部５６は、Ｕ字の前端部が、収納体５の昇降時（収納体５の切替時）に使用者に把持される把持部となっている。言い換えると、操作部５６は、例えば、左右に長尺な棒状（管状を含む）の前記把持部と、この把持部の各側端部から後方に突出する突出部とを有する。この突出部は、前後に長尺な棒状（管状を含む）に形成されており、後端部がフレーム５１の下端部に固定してある。
【００７２】
規定部５８は、例えば、平面視前方に開口した角形Ｕ字状に形成される。規定部５８は、上下に間隔を置いて、二つ設けてある。二つの規定部５８，５８は、同形に形成される。
【００７３】
規定部５８は、Ｕ字の各前端部がフレーム５１に脱着自在で取り付けて或いは固定して取り付けてある。言い換えると、操作部５６は、左右一方（例えば右側）の前端部が、左右において、この前端部と同じ側（右側）に設けた縦辺部５３に取り付けてある。そして、操作部５６は、左右の残り一方（例えば左側）の前端部が、左右においてこの前端部と同じ側（左側）に設けた縦辺部５３に取り付けてある。
【００７４】
このため、収納体５は、衣類（収納物）が規定部５８に干渉する範囲内（Ｕ字の内側）が、衣類を収納可能な範囲（収納範囲）となっている。言い換えると、規定部５８は、衣類に干渉する（接触する）ことで、収納範囲の左右幅（側端位置）及び奥行（後端位置）を規定するよう構成される。
【００７５】
第２空間２２は、その上部側に、所謂洋服掛け等のハンガー（ｈａｎｇｅｒ）等の前述の衣類等を吊るためのハンガーバー２４（ｈａｎｇｅｒ  ｂａｒ）が設けてある。言い換えると、衣類収納装置１は、第１空間２１より下方（第２空間２２）に、第２のハンガーバー２４を有する。
【００７６】
以下の説明では、収納体５（第１空間２１）のハンガーバー５４（第１のハンガーバー５４）を第１バー５４とし、第２空間２２のハンガーバー２４（第２のハンガーバー２４）を第２バー２４として区別する。
【００７７】
第２バー２４は、平面視（前後）において、第１バー５４と重なる位置に設けてある。第２バー２４は、例えば、左右に長尺な棒状（管状を含む）に形成される。言い換えると、第２バー２４は、例えば、横棒部材（管状部材を含む）で形成される。第２バー２４は、両側壁部１２，１２の間に架け渡して設けてある。
【００７８】
このため、衣類収納装置１は、例えば、第２バー２４に吊り下げた状態で衣類等を、第２空間２２（箱体１１の下部側）に収納することができる。なお、第２バー２４は、本実施形態において両側壁部１２，１２に固定しているが、後壁部１４や仕切り板１６に固定して第２空間２２に設けてもよく、これらを組み合わせて固定してもよい。言い換えると、第２バー２４は、箱体１１と仕切り板１６とのうちの少なくとも一方に固定して設けることが好ましい。
【００７９】
このように、衣類収納装置１は、前方に開口した箱体１１を有する。箱体１１は、その内部が、収納物を収納自在な収納空間２である。衣類収納装置１は、収納空間２が、上部側の第１空間２１と、下部側の第２空間２２とに区画される。
【００８０】
衣類収納装置１は、例えば従来デットスペース或いは踏み台や梯子等を用いて物を載置する載置スペースである第１空間２１（第２空間２２の上方）に、収納体５が昇降自在で設けてある。
【００８１】
収納体５は、前記昇降によって、箱体１１の上部側（第１空間２１）に収納される収納状態と、収納状態から前下方に移動した取出状態とに切替自在である。収納体５は、衣類を吊り下げる第１バー５４（第１のハンガーバー５４）を有する。衣類収納装置１は、衣類を、収納物の一つとして吊り下げた状態で箱体１１の上部側（第１空間２１）に収納自在である。
【００８２】
このため、衣類収納装置１は、収納物（衣類）を第１バー５４に吊り下げた状態で箱体１１の上部側（第１空間２１）に収納することができる。言い換えると、衣類収納装置１は、箱体１１の上部側（第１空間２１）に衣類を吊り下げて収納することができる。
【００８３】
そして、衣類収納装置１は、取出状態とする（取出状態に切り替える）ことで、収納位置（収納状態）に比べて低位置で、収納体５内の収納物（衣類）の出し入れを行うことができる。これによって、衣類収納装置１は、箱体１１の上部側（第１空間２１）に収納した衣類等の収納物の出し入れを行い易くすることができる。
【００８４】
また、衣類収納装置１は、収納体５を第１空間２１から前進しながら収納状態から取出状態へ切り替え（第１空間２１から降下し）、収納体５を取出状態から収納状態に切り替えるときに、後退しながら上昇するよう構成される。言い換えると、収納体５は、前後動を伴いながら昇降して、状態を切り替えるよう構成される。
【００８５】
このように、衣類収納装置１は、例えば、第２空間２２より前方位置で収納体５の下方への移動（回動アーム３２の前下方への回動）が停止して、取出状態となることが好ましい。言い換えると、収納体５は、第２空間２２より前方位置で下方への移動が停止されるよう構成されることが好ましい。
【００８６】
この場合、衣類収納装置１は、取出状態等において、収納体５を第２空間２２や収納位置より前方に位置させることができる。これによって、衣類収納装置１は、収納体５の状態切替時に、収納体５やその収納物を第２空間２２の収納物等に干渉し難くすることができて、収納体５の状態切替を行い易くすることができる。
【００８７】
また、衣類収納装置１は、第２空間２２に、衣類を吊り下げる第２バー２４（第２のハンガーバー２４）を設け、前記衣類を、収納物の一つとして吊り下げた状態で第２空間２２に収納自在であることが好ましい。この場合、衣類収納装置１は、箱体１１の上部側（第１空間２１）及び箱体１１の下部側（第２空間２２）の両空間に収納物（衣類）を吊り下げて収納することができる。
【００８８】
ところでこの場合、衣類収納装置１は、第２空間２２（箱体１１の下部側）が衣類を吊り下げて収納可能な高さを有する形状となるため、第１バー５４が高所（高位置）に位置し易くなる。
【００８９】
ここで、本実施形態では、収納体５を取出状態とする（取出状態に切り替える）ことで、第１バー５４を前記高所に比べて低位置に下げることができる。言い換えると、本実施形態では、箱体１１の上部側（第１空間２１）の衣類の出し入れを収納位置より低い位置で行うことができる。
【００９０】
これによって、本実施形態では、箱体１１の上部側（第１空間２１）及び箱体１１の下部側（第２空間２２）の両空間において、衣類等の収納物の出し入れを行い易くすることができる。
【００９１】
また、衣類収納装置１は、左右に並ぶ回動アーム３２，３２をその上部で連結することが好ましく、本実施形態では、例えば、左右の第１支持部４２，４２間に連結部材３８を設けて連結してある。言い換えると、連結部材３８は、左右に対をなす回動アーム３２，３２をその上部で連結するよう構成される。この場合、衣類収納装置１は、左右の回動アーム３２，３２（回動機構部３１，３１）を連動して回動させることができて、昇降時等において収納体５の左右の捩れを生じ難くすることができる。
【００９２】
更に、衣類収納装置１は、昇降時等において連結部材３８等を収納体５に干渉し難くすることができて、収納体５を基部３６より下方に突出した形状で設け易くすることができる。これによって、衣類収納装置１は、回動アーム３２の長手方向の寸法の増加を抑えて、上下に長尺な収納体５を形成し易くすることができる。
【００９３】
また、昇降機構部３は、左右に並ぶ（左右に対をなす）回動アーム３２，３２を連結部材３８に直接接続することが好ましい。言い換えると、昇降機構部３は、接続部材３７や収納体５等を介さずに、回動アーム３２を連結部材３８に直接接続することが好ましい。
【００９４】
この場合、衣類収納装置１は、収納体５や接続部材３７を介して回動アーム３２と連結部材３８とを間接的に接続した場合に比べて、昇降時等の収納体５の左右の捩れ等の影響を受け難くすることができる。
【００９５】
言い換えると、本実施形態は、連結部材３８と左右に並ぶ回動アーム３２，３２との間を接続部材３７や縦辺部５３で繋いでいる場合（前記間接的に接続した場合）と異なる。
【００９６】
つまり、前記間接的に接続した場合では、接続部材３７や縦辺部５３が収納体５の左右の捩れ等の影響を受け易い（左右に捩れ易い）ため、連結部材３８で前記捩れ等の左右に並ぶ回動アーム３２，３２に対する影響を軽減し難い。
【００９７】
対して、本実施形態の連結部材３８は、左右各端部が支持部（第１支持部４２，４２）に固定してあり、接続部材３７や縦辺部５３（収納体５）等から独立して、回動アーム３２，３２に接続してある。このため、連結部材３８は、前記捩れ等の影響を受け難く（前記捩れ等が伝わり難く）、前記捩れ等の左右に並ぶ回動アーム３２，３２に対する影響を軽減し易い。
【００９８】
これによって、衣類収納装置１は、収納体５や接続部材３７で間接的に接続固定した場合に比べて、左右に並ぶ回動アーム３２，３２を同体で回動させ易くすることができる。
【００９９】
また、衣類収納装置１は、収納状態において、収納体５の加重を受ける回動アーム３２（例えば、第１アーム３３）の重心が、昇降機構部３の回動中心である第１取付部４１に比べて後方に位置するよう構成されることが好ましい。これによって、衣類収納装置１は、収納状態の収納体５の自重による収納体５の取出状態への切替（意図しない回動アーム３２の回動）を抑制することができる。
【０１００】
そして、衣類収納装置１は、第１バー５４を前記重心より奥側（後方側）或いは平面視重なる位置に設けることが好ましい。この場合、衣類収納装置１は、収納物（衣類）を第１バー５４に吊り下げたときに、前記重心を第１取付部４１より後方に位置し易くすることができる。
【０１０１】
これによって、衣類収納装置１は、収納物（衣類）を吊り下げた状態にあっても、収納体５の自重による使用者等が意図しない取出状態への切替を抑制することができる。
【０１０２】
また、衣類収納装置１は、連結部材３８が横辺部５２（第１バー５４）を兼ねることが好ましい。この場合、衣類収納装置１は、収納体５の上部に設けられる左右に長尺な部材を一つ減らしたり横辺部５２（連結部材３８）のみにしたり等をすることができる。
【０１０３】
これによって、衣類収納装置１は、連結部材３８と第１バー５４とを各々設けた場合に比べて、使用者に第１バー５４を認識させ易くすることができる。更に、衣類収納装置１は、横辺部５２が連結部材３８を兼ねたことで、構成部材を削減したり、収納体５上部の外観を簡素にしたり等をすることができる。
【０１０４】
また、衣類収納装置１は、収納体５に規定部５８を設けることが好ましい。この場合、使用者は、規定部５８の視認や収納物の規定部５８への干渉等によって、収納体５における収納範囲の左右幅や奥行を容易に把握することができる。言い換えると、衣類収納装置１は、収納体５に規定部５８を設けることで、収納体５の収納範囲を使用者に把握させ易くすることができる。
【０１０５】
更に、衣類収納装置１は、規定部５８によって、収納体５の剛性を向上させることができる。
【０１０６】
また、衣類収納装置１は、収納体５の第１バー５４より下方に、昇降用の操作部５６を設けることが好ましく、操作部５６をフレーム５１の下端部に設けることがより好ましい。
【０１０７】
この場合、衣類収納装置１は、第１バー５４に比べて低位置を把持して（操作して）、収納状態の収納体５を取出状態に切り替えることができる。これによって、衣類収納装置１は、収納体５の状態切替を行い易くすることができて、衣類等の収納物の出し入れを行い易くすることができる。
【０１０８】
次に、第二実施形態の衣類収納装置１を、図３に基づいて説明する。なお、以下では、第一実施形態と同様の構成に対して、同じ符号を付して重複する説明は省略する。
【０１０９】
第２アーム３４は、屈曲部（第２屈曲部４６）の無い直線状に形成される。そして、第２アーム３４は、第２支持部４５を第２取付部４４より後方且つ上方に位置させた姿勢で、収納体５を収納するよう構成される。
【０１１０】
連結部材３８は、棒状部３９の左右の両端が夫々、左右の対応する第１支持部４２，４２に固定してある。このため、連結部材３８は、収納体５や接続部材３７を介さずに、直接回動アーム３２，３２に接続して設けてある。
【０１１１】
これによって、衣類収納装置１は、回動アーム３２と連結部材３８とを収納体５や接続部材３７で間接的に接続した場合に比べて、左右に並ぶ回動アーム３２，３２を同体で回動させ易くすることができる。
【０１１２】
収納体５は、連結部材３８と別部材で、横辺部５２を有する。言い換えると、収納体５は、連結部材３８と別部材で、第１バー５４を有する。
【０１１３】
横辺部５２は、例えば、左右に長尺な棒状（管状を含む）に形成される。横辺部５２は、連結部材３８（第１支持部４２）より前方且つ第２支持部４５より後方に設けてある。横辺部５２は、連結部材３８より上方に位置する。
【０１１４】
縦辺部５３は、横辺部５２より後方且つ連結部材３８（第１支持部４２）より前方に設けてある。そして、縦辺部５３は、接続部材３７に固定してある。
【０１１５】
言い換えると、フレーム５１は、上端部の各側端部（左右の各端部）に夫々、接続部材３７が固定してある。そして、本実施形態では、縦辺部５３が接続部材３７を介して横辺部５２に取付固定してあり、横辺部５２が縦辺部５３の前方に位置する。
【０１１６】
また、収納体５は、その重心が、平面視において、第１空間２１内の第１取付部４１より後方の位置（奥側の位置）、或いは第１取付部４１に重なる位置となっている。
【０１１７】
第１バー５４（横辺部５２）は、例えば、平面視において、収納体５の収納範囲の前後長さの中間に位置する。第１バー５４（横辺部５２）は、平面視において、第１空間２１内の第１取付部４１より後方に或いは第１取付部４１に重なって位置する。言い換えると、収納体５は、前記重心と平面視において重なる位置に、第１バー５４（横辺部５２）が設けてある。
【０１１８】
このように、衣類収納装置１は、フレーム５１の横辺部５２や第１バー５４と、連結部材３８とを個別に有してもよい。
【０１１９】
この場合、衣類収納装置１は、第１支持部４２や連結部材３８の位置に影響されずに第１バー５４や横辺部５２を設けたり、収納体５の重心や第１バー５４の位置に影響されずに連結部材３８を設けたり等をすることができる。
【０１２０】
これによって、衣類収納装置１は、例えば、収納体５や昇降機構部３の設計上の自由度等を向上し易くすることができる。
【０１２１】
次に、第三実施形態の衣類収納装置１を、図４に基づいて説明する。なお、以下では、前述の各実施形態と同様の構成に対して、同じ符号を付して重複する説明は省略する。
【０１２２】
本実施形態では、収納体５の一部構成が前述の各実施形態と異なる。そして、本実施形態において、箱体１１や昇降機構部３は、例えば第一実施形態や第二実施形態等の構成を採用すればよく、以下説明を省略する。なお、本実施形態では、連結部材３８と横辺部５２とを夫々設ける構成となっているが、第一実施形態のように連結部材３８（棒状部３９）が横辺部５２を兼ねてもよい。
【０１２３】
収納体５は、縦辺部５３が側面視矩形の板状に形成される。縦辺部５３の下端部には、底部６０が設けてある。言い換えると、収納体５は、フレーム５１（横辺部５２及び縦辺部５３）と、操作部５６と、規定部５８と、底部６０とを有する。
【０１２４】
底部６０は、平面視矩形の箱状に形成される。言い換えると、底部６０は、収納物を載置可能な平面視矩形の底本体６１と、底本体６１の外周端から上方に突出する起立部６２と有する。
【０１２５】
底本体６１は、平板状（平面状）であってもよく、曲面状（起立部６２と一体形状の場合を含む）であってもよい。起立部６２は、底本体６１の外周端全周に亘って設けてある。言い換えると、起立部６２は、平面視矩形枠状に形成される。なお、底本体６１と起立部６２とは、板状部材で形成されてもよく、網状部材で形成されてもよく、一方が板状部材で形成され他方が網状部材で形成されてもよい。
【０１２６】
底部６０は、平面視において、底本体６１の外周端（起立部６２）が収納範囲の縁（外周）に重なる位置となるよう構成される。言い換えると、底本体６１は、平面視収納体５の収納範囲に重なる形状（収納範囲と同形状）に形成される。更に言い換えると、底本体６は、収納範囲の底を閉塞するよう構成される。
【０１２７】
操作部５６は、底部６０の下面前端部に設けてある。操作部５６は、正面視上方に開口した角形Ｕ字状に形成される。操作部５６は、各上端部が底部６０に固定される。このため、操作部５６は、底部６０から下方に突出して設けられる。
【０１２８】
規定部５８は、各前端部が縦辺部５３より前方に突出して設けてある。そして、これら各前端部は、その突出先端に規定片５９が設けてある。規定片５９は、左右において前記前端部からＵ字の内側に向けて突出して形成される。
【０１２９】
また、規定片５９は、平面視において、収納範囲の前端に重なって位置する。このため、規定片５９は、前側の収納範囲を規定するよう構成される。言い換えると、規定部５８は、平面視収納体５の収納範囲の縁に重なる矩形枠状に形成される。更に、規定部５８は、前記枠における前辺部が中間で左右二つに分割された形状となっている。
【０１３０】
このように、衣類収納装置１は、収納体５に、収納物を載置自在な底部６０を有することが好ましい。この場合、衣類収納装置１は、例えばベルト等の小物等を、収納物の一つとして底部６０に載置収納することができる。そして、衣類収納装置１は、前記小物等を仕切り板１６に載置する場合に比べて、この小物等の出し入れを行い易くすることができる。
【０１３１】
更に、衣類収納装置１は、底部６０（底本体６１）を平面視収納体５の収納範囲と同形状に設けることが好ましい。この場合、衣類収納装置１は、底部６０の形状等から収納範囲を認識させ易くすることができる。
【０１３２】
また、衣類収納装置１は、規定部５８が、収納範囲の前側を規定する規定片５９を有することが好ましい。この場合、衣類収納装置１は、規定部５８によって、収納範囲の奥行及び左右幅に加えて、収納範囲の前後長（前端位置）を認識させ易くすることができる。
【０１３３】
次に、第四実施形態の衣類収納装置１を、図５に基づいて説明する。なお、以下では、前述の各実施形態と同様の構成に対して、同じ符号を付して重複する説明は省略する。
【０１３４】
また、本実施形態では、第２アーム３４の形状を除く第一実施形態の昇降機構部３と、第三実施形態の収納体５の基本構成とを採用しているが、他の実施形態の昇降機構部３や収納体５を採用してもよい。なお、本実施形態では、横辺部５２が連結部材３８を兼ねているが、第二実施形態や第三実施形態のように横辺部５２と連結部材３８とを夫々設けてもよい。
【０１３５】
本実施形態では、第２アーム３４に二つの屈曲部（第２屈曲部４６、第３屈曲部）が設けてある。第２アーム３４は、側面視横向きＳ字状に形成される。第２アーム３４は、第２支持部４５を第２取付部４４より後方且つ上方に位置させた姿勢で、収納体５を収納するよう構成される。
【０１３６】
更に、本実施形態では、箱体１１が仕切り板１６を有しない点で、前述の各実施形態と異なる。このため、箱体１１は、第１空間２１と第２空間２２とを上下に連通して備えることが好ましい。そして、収納空間２は、収納体５によって、第１空間２１と第２空間２２とに区画される。言い換えると、収納空間２は、収納体５を収納する第１空間２１と、収納体５の収納位置より下方の第２空間２２とに区画される。
【０１３７】
この場合、衣類収納装置１は、状態切替時における収納体５の下端部等と仕切り板１６との干渉を考慮せずに、収納体５の下端部の位置（フレーム５１の上下高さ）等を設定することができる。また、収納体５が底部６０を有する場合、衣類収納装置１は、状態切替時における底部６０等と仕切り板１６との干渉を考慮せずに、フレーム５１の上下高さや底部６０の形状等を設定することができる。
【０１３８】
このように、衣類収納装置１は、第１空間２１と第２空間２２とを仕切り板１６で分割した場合に比べて、収納体５の上下高さを大きくしたり、底部６０の載置範囲を広くしたりし易くすることができる。
【０１３９】
なお、本発明は、前記例示の各構成（各実施形態の構成）にのみ限定されるものではなく、要旨を逸脱しない範囲内で適宜変更や組合せを行い実施し得るものである。
【０１４０】
例えば、衣類収納装置１は、箱体１１を、第１空間２１を形成する第１箱体と、第２空間２２を形成する第２箱体とに分割自在であってもよい。
【符号の説明】
【０１４１】
１  衣類収納装置
１１  箱体
１６  仕切り板
１７  前開口
２  収納空間
２１  第１空間
２２  第２空間
２４  （第２の）ハンガーバー（第２バー）
３  昇降機構部
３１  回動機構部
３２  回動アーム
３８  連結部材
５  収納体
５１  フレーム
５４  （第１の）ハンガーバー（第１バー）
５６  操作部
５８  規定部
６０  底部
【図１】
2014226434.tif 000003
【図２】
2014226434.tif 000004
【図３】
2014226434.tif 000005
【図４】
2014226434.tif 000006
【図５】
2014226434.tif 000007